(57)【要約】【課題】複数の機能ユニットを操作可能なリモコンを設ける場合にも、複数の機能ユニットとリモコンとの配線接続作業を容易に行うことができる浴室システムを提供する。【解決手段】浴室及び洗面所の少なくともいずれかに設けられる複数の機能ユニットと、前記複数の機能ユニットを動作させるリモコンと、前記複数の機能ユニットと前記リモコンとの間に設けられる通信ハブと、前記複数の機能ユニットと前記通信ハブとを接続する複数の第１配線と、前記通信ハブと前記リモコンとを接続する第２配線と、を備えたことを特徴とする浴室システム。【選択図】図１
2019169831.tif 000002
【特許請求の範囲】
【請求項１】
浴室及び洗面所の少なくともいずれかに設けられる複数の機能ユニットと、
前記複数の機能ユニットを動作させるリモコンと、
前記複数の機能ユニットと前記リモコンとの間に設けられる通信ハブと、
前記複数の機能ユニットと前記通信ハブとを接続する複数の第１配線と、
前記通信ハブと前記リモコンとを接続する第２配線と、
を備えたことを特徴とする浴室システム。
【請求項２】
前記リモコンは、前記複数の機能ユニットのそれぞれの動作を制御するための共通制御信号を、前記通信ハブを通じて前記複数の機能ユニットのそれぞれに送信することを特徴とする請求項１記載の浴室システム。
【請求項３】
前記複数の第１配線の少なくとも１つの長さは、前記第２配線の長さよりも短いことを特徴とする請求項１又は２に記載の浴室システム。
【請求項４】
前記複数の機能ユニットの１つは、第１制御部を有し、
前記複数の機能ユニットの別の１つは、第２制御部を有し、
前記第１制御部及び前記第２制御部は、前記浴室の天井裏に設けられ、
前記通信ハブは、前記第１制御部及び前記第２制御部よりも前記浴室の前記天井裏の中央側に設けられることを特徴とする請求項１〜３のいずれか１つに記載の浴室システム。
【請求項５】
前記通信ハブは、前記複数の第１配線を接続するための複数の第１接続コネクタ部と、前記第２配線を接続するための第２接続コネクタ部と、を有し、
前記複数の第１接続コネクタ部のそれぞれは、同じ方向に向けて設けられることを特徴とする請求項１〜４のいずれか１つに記載の浴室システム。
【請求項６】
前記複数の第１接続コネクタ部のそれぞれは、前記浴室の天井に設けられた点検口に向けて設けられることを特徴とする請求項５記載の浴室システム。
【請求項７】
前記複数の機能ユニットの１つは、前記通信ハブを通じて、前記リモコンに電源を供給し、
前記通信ハブは、前記複数の機能ユニットの前記１つと接続される前記複数の第１接続コネクタ部の１つと他の前記複数の第１接続コネクタ部とを区別可能にしていることを特徴とする請求項５又は６に記載の浴室システム。
【発明の詳細な説明】
【技術分野】
【０００１】
本発明の態様は、一般的に、浴室システムに関する。
【背景技術】
【０００２】
近年においては、浴室や洗面所に関連する機能ユニット（機器）の多機能化や多種化が進んでいる。例えば、浴室の空調機器として、換気機能、衣類乾燥機能、浴室暖房機能を有する浴室換気暖房乾燥機が開発されている。また、例えば、洗面所（脱衣所）に設けられる空調機器も開発されている。これらの空調機器によって浴室や洗面所を暖めることにより、ヒートショック（温度差によって血圧が大きく変動し心筋梗塞や脳梗塞が引き起こされること）を抑制できる。また、例えば、浴室には、掃除機器が設けられることもある。この掃除機器は、浴槽や浴室の床等に自動的に洗剤や水、湯を散布して、浴槽や浴室の床等を掃除する。
【０００３】
これらの機能ユニットは、単独商品として販売される場合もあるため、それぞれに専用のリモコンを備えている。従って、単独商品として販売される機能ユニットを複数設置した場合には、専用リモコンが洗面所などの壁面に並べて設けられる。これにより、洗面所などの壁面が煩雑になりデザイン性が低下したり、リモコンの操作性が悪化するという問題がある。これを解決する手段として、浴室や洗面所に関連する各機能ユニットを通信ネットワークで接続することで、リモコンを統合化することが考えられる。リモコンの統合化により、単独商品として販売される機能ユニットを複数設置した場合にも、各機能ユニットの専用リモコンを洗面所などの壁面に並べて設置する必要がなくなり、洗面所などの壁面の煩雑さ及びリモコンの操作性の低下を解消することができる。
【先行技術文献】
【特許文献】
【０００４】
【特許文献１】特開平３−１８３３３３号公報
【発明の概要】
【発明が解決しようとする課題】
【０００５】
しかし、リモコンを統合化する際には、浴室や洗面所に設けられる複数の機能ユニットから洗面所などの壁面に設けられるリモコンに通信用の配線を接続するため、配線接続作業が困難である。  
この解決策として、リモコンと複数の機能ユニット同士を無線接続する構成も考えられる。しかしながら、浴室が例えばユニットバスである場合、浴室の壁や床、天井が鋼板に覆われることとなるため、リモコンからの無線信号が鋼板に反射されてしまい、リモコンの操作性が低下するおそれがある。
【０００６】
本発明は、かかる課題の認識に基づいてなされたものであり、複数の機能ユニットを操作可能なリモコンを設ける場合にも、複数の機能ユニットとリモコンとの配線接続作業を容易に行うことができる浴室システムを提供することを目的とする。
【課題を解決するための手段】
【０００７】
第１の発明は、浴室及び洗面所の少なくともいずれかに設けられる複数の機能ユニットと、前記複数の機能ユニットを動作させるリモコンと、前記複数の機能ユニットと前記リモコンとの間に設けられる通信ハブと、前記複数の機能ユニットと前記通信ハブとを接続する複数の第１配線と、前記通信ハブと前記リモコンとを接続する第２配線と、を備えたことを特徴とする浴室システムである。
【０００８】
この浴室システムによれば、複数の機能ユニットとリモコンとの間に通信ハブを設け、複数の機能ユニットから延びる複数の配線（第１配線）を通信ハブに集約させることで、通信ハブからリモコンに延びる配線（第２配線）の数を最小限に抑えることができる。これにより、配線接続作業が難しいリモコンへの配線接続の手間を減らすことができる。従って、複数の機能ユニットとリモコンとの配線接続作業を容易に行うことができる。
【０００９】
第２の発明は、第１の発明において、前記リモコンは、前記複数の機能ユニットのそれぞれの動作を制御するための共通制御信号を、前記通信ハブを通じて前記複数の機能ユニットのそれぞれに送信することを特徴とする浴室システムである。
【００１０】
この浴室システムによれば、複数の機能ユニットのそれぞれの動作を制御するための共通制御信号が全ての機能ユニットに送信されるため、機能ユニットをリフォーム等で後付けで追加した場合においても、通信ハブに接続するだけで追加した機能ユニットを動作させることができる。
【００１１】
第３の発明は、第１又は第２の発明において、前記複数の第１配線の少なくとも１つの長さは、前記第２配線の長さよりも短いことを特徴とする浴室システムである。
【００１２】
この浴室システムによれば、第１配線の長さを短くすることで、第１配線と第２配線の合計の長さ（配線の総延長）を短くすることができる。また、数が多い第１配線を短くすることで、配線同士が重なることを抑制できる。これらにより、信号にノイズが乗ることを抑制することができる。
【００１３】
第４の発明は、第１〜第３のいずれか１つの発明において、前記複数の機能ユニットの１つは、第１制御部を有し、前記複数の機能ユニットの別の１つは、第２制御部を有し、前記第１制御部及び前記第２制御部は、前記浴室の天井裏に設けられ、前記通信ハブは、前記第１制御部及び前記第２制御部よりも前記浴室の前記天井裏の中央側に設けられることを特徴とする浴室システムである。
【００１４】
この浴室システムによれば、通信ハブが浴室の天井裏の中央側に設けられているため、各第１配線の長さを平均化することができる。例えば、特定の第１配線だけが極端に長くなることを抑制することができる。
【００１５】
第５の発明は、第１〜第４のいずれか１つの発明において、前記通信ハブは、前記複数の第１配線を接続するための複数の第１接続コネクタ部と、前記第２配線を接続するための第２接続コネクタ部と、を有し、前記複数の第１接続コネクタ部のそれぞれは、同じ方向に向けて設けられることを特徴とする浴室システムである。
【００１６】
この浴室システムによれば、複数の第１接続コネクタ部のそれぞれが同じ方向に向けて設けられているため、通信ハブと複数の機能ユニットとの接続をより容易に行うことができる。
【００１７】
第６の発明は、第５の発明において、前記複数の第１接続コネクタ部のそれぞれは、前記浴室の天井に設けられた点検口に向けて設けられることを特徴とする浴室システムである。
【００１８】
この浴室システムによれば、複数の第１接続コネクタ部のそれぞれが点検口に向けて設けられているため、通信ハブと複数の機能ユニットとの接続を行う際に、点検口から容易に作業することができる。
【００１９】
第７の発明は、第５又は第６の発明において、前記複数の機能ユニットの１つは、前記通信ハブを通じて、前記リモコンに電源を供給し、前記通信ハブは、前記複数の機能ユニットの前記１つと接続される前記複数の第１接続コネクタ部の１つと他の前記複数の第１接続コネクタ部とを区別可能にしていることを特徴とする浴室システムである。
【００２０】
この浴室システムによれば、複数の機能ユニットの１つからリモコンに電源を供給することができる。また、通信ハブが、リモコンに電源を供給する機能ユニットを接続するための第１接続コネクタ部と他の第１接続コネクタ部とを区別可能な表示手段を有することで、配線接続作業を行う際に、リモコンに電源を供給する機能ユニットの接続先を誤ることを抑制できる。
【発明の効果】
【００２１】
本発明の態様によれば、複数の機能ユニットを操作可能なリモコンを設ける場合にも、複数の機能ユニットとリモコンとの配線接続作業を容易に行うことができる浴室システムが提供される。
【図面の簡単な説明】
【００２２】
【図１】実施形態に係る浴室システムを例示する斜視図である。
【図２】実施形態に係る通信ハブを例示する斜視図である。
【図３】実施形態に係る浴室システムを例示するブロック図である。
【図４】実施形態に係る浴室システムを例示するブロック図である。
【図５】実施形態に係る別の浴室システムを例示する斜視図である。
【発明を実施するための形態】
【００２３】
以下、実施形態について図面を参照しつつ説明する。なお、各図面中、同様の構成要素には同一の符号を付して詳細な説明は適宜省略する。  
図１は、実施形態に係る浴室システムを例示する斜視図である。  
図１に示すように、実施形態に係る浴室システム１０は、第１〜第４機能ユニット２１〜２４と、リモコン３０と、通信ハブ４０と、第１配線５１〜５４と、第２配線６０と、を有する。
【００２４】
浴室システム１０は、例えば、浴室１００及び洗面所１１０に設けられる。浴室１００は、建築の浴室部１０５に設けられる。浴室１００は、例えば、浴槽、洗い場床、壁パネル、及び天井パネルなどをユニット化した、いわゆるユニットバスやシステムバスである。浴室１００の天井には、天井裏１０２に通じる点検口１０４が設けられている。洗面所１１０は、浴室部１０５に隣接する建築の洗面室部１１５に設けられる。洗面所１１０は、例えば、脱衣所であってもよい。
【００２５】
第１〜第４機能ユニット２１〜２４は、それぞれ、浴室１００及び洗面所１１０の少なくともいずれかに設けられる。第１〜第４機能ユニット２１〜２４は、例えば、浴室用の空調機器、浴槽掃除機器、浴室用の床掃除機器、洗面所用の空調機器、給湯器、浴槽の排水栓、浴室の照明、マッサージ機器、及び吐水装置などを含む。この例では、第１機能ユニット２１は、浴室用の空調機器である。第２機能ユニット２２は、浴槽掃除機器である。第３機能ユニット２３は、浴室用の床掃除機器である。第４機能ユニット２４は、洗面所用の空調機器である。
【００２６】
浴室用の空調機器は、例えば、浴室１００の天井に設けられる。浴室用の空調機器は、例えば、温風を吹き出して浴室１００内を暖める暖房機能、風（例えば温風）を吹き出して浴室１００内に吊るされた衣類等を乾燥させる乾燥機能、及び浴室１００内を換気する換気機能の少なくともいずれかを有する。浴室用の空調機器は、例えば浴室換気暖房乾燥機である。浴室用の空調機器は、換気扇でもよい。
【００２７】
浴槽掃除機器は、例えば、浴室１００の内部に設けられた浴槽（不図示）内に設けられる。浴槽掃除機器は、例えば、浴槽の内壁に洗剤や水（湯）を散布する機器である。浴室用の床掃除機器は、例えば、浴室１００の床（洗い場）に水や除菌水等を散布する機器である。
【００２８】
洗面所用の空調機器は、例えば、洗面所１１０の壁面の上部に設けられる。洗面所用の空調機器は、例えば、温風を吹き出して洗面所１１０内を暖める暖房機能を有する。洗面所用の空調機器は、換気扇でもよい。
【００２９】
給湯器は、例えば浴室１００の外部に設けられ、浴槽や浴室１００内の水栓装置に湯を供給する。排水栓は、浴槽に設けられる。排水栓が開くことで、浴槽内の水や湯が排出される。照明は、浴室１００の例えば天井等に設けられる照明である。マッサージ機器は、例えば浴槽に設けられ、浴槽内の水（湯）に泡を発生させる気泡発生装置である。または、マッサージ機器は、浴槽内に水流を発生させる水流発生装置である。吐水装置は、例えば、浴槽内の使用者の肩に向けて湯を吐出する肩湯である。
【００３０】
第１〜第４機能ユニット２１〜２４は、それぞれ、第１〜第４機能ユニット２１〜２４の動作を制御するための第１〜第４制御部２１ａ〜２４ａを有する。この例では、第１〜第３制御部２１ａ〜２３ａは、それぞれ、浴室１００の天井裏１０２に設けられている。第４制御部２４ａは、洗面所１１０の壁面の上部に設けられた第４機能ユニット２４（洗面所用の空調機器）の筐体の内部に設けられている。なお、図１では、第１〜第３機能ユニット２１〜２３の位置を、第１〜第３制御部２１ａ〜２３ａで示しているが、第１〜第３機能ユニット２１〜２３の動作する本体は、浴室１００内に設けられてもよい。
【００３１】
リモコン３０は、第１〜第４機能ユニット２１〜２４を動作させるリモコンである。リモコン３０は、例えば、洗面所１１０（脱衣所）の壁面に設けられる。リモコン３０は、通信ハブ４０を介して、第１〜第４機能ユニット２１〜２４の第１〜第４制御部２１ａ〜２４ａと接続されている。使用者は、リモコン３０を操作することにより、第１〜第４機能ユニット２１〜２４の動作を操作することができる。
【００３２】
リモコン３０は、例えば、操作部３２と、制御部３４と、表示部３６と、を有する。制御部３４は、操作部３２及び表示部３６と接続されている。操作部３２は、例えば、使用者が操作可能なボタンなどである。制御部３４は、操作部３２における使用者の操作に応じて、第１〜第４機能ユニット２１〜２４の第１〜第４制御部２１ａ〜２４ａに制御信号を送信する。表示部３６は、例えば、制御部３４からの信号に応じて、第１〜第４機能ユニット２１〜２４の動作状態などを表示する。なお、表示部３６は、ＬＥＤの点灯及び消灯などで第１〜第４機能ユニット２１〜２４の動作状態などを表示してもよいし、液晶画面などに第１〜第４機能ユニット２１〜２４の動作状態などを表示してもよい。
【００３３】
通信ハブ４０は、第１〜第４機能ユニット２１〜２４とリモコン３０との間に設けられる。この例では、通信ハブ４０は、浴室１００の天井裏１０２に設けられている。通信ハブ４０は、第１制御部２１ａ、第２制御部２１ｂ、及び第３制御部２１ｃよりも天井裏１０２の中央側に設けられている。
【００３４】
第１配線５１〜５４は、それぞれ、第１〜第４機能ユニット２１〜２４と通信ハブ４０とを接続する。より具体的には、第１配線５１〜５４は、それぞれ、第１〜第４機能ユニット２１〜２４の第１〜第４制御部２１ａ〜２４ａと通信ハブ４０とを接続する。つまり、第１配線５１〜５４の一端は、それぞれ、第１〜第４機能ユニット２１〜２４の第１〜第４制御部２１ａ〜２４ａに接続される。第１配線５１〜５４の他端は、それぞれ、通信ハブ４０に接続される。第１配線５１〜５４は、浴室１００の天井裏１０２において、互いに重ならないように配置される。また、第１配線５１〜５４は、第２配線６０と重ならないように配置される。
【００３５】
第２配線６０は、通信ハブ４０とリモコン３０とを接続する。より具体的には、第２配線６０は、通信ハブ４０とリモコン３０の制御部３４とを接続する。つまり、第２配線６０の一端は、通信ハブ４０に接続される。第２配線６０の他端は、リモコン３０の制御部３４に接続される。第２配線６０は、浴室１００の天井裏１０２から、浴室１００と浴室部１０５との間を通って、リモコン３０の背面側（洗面所１１０の壁の裏側）からリモコン３０に接続される。第２配線６０は、浴室１００の天井裏１０２において、第１配線５１〜５４と重ならないように配置される。
【００３６】
図２は、実施形態に係る通信ハブを例示する斜視図である。  
図２に示すように、通信ハブ４０は、ケース４６と、第１接続コネクタ部４１〜４４と、第２接続コネクタ部４５と、を有する。
【００３７】
ケース４６は、通信ハブ４０の筐体である。ケース４６は、例えば、略直方体状である。通信ハブ４０は、例えば、ケース４６の下面を浴室１００の天井裏１０２に向けて配置される。ケース４６の下面は、例えば、天井裏１０２に固定される。ケース４６を設けることで、通信ハブ４０の内部に埃などが入るのを抑制することができる。なお、ケース４６の形状は、これに限定されず、任意の形状とすることができる。
【００３８】
第１接続コネクタ部４１〜４４は、第１配線５１〜５４を接続するための接続部である。換言すれば、第１接続コネクタ部４１〜４４は、第１〜第４機能ユニット２１〜２４の第１〜第４制御部２１ａ〜２４ａと通信ハブ４０とを接続するための接続部である。第１接続コネクタ部４１〜４４は、例えば、ケース４６の上面及び４つの側面のうちいずれかの面に設けられる。この例では、第１接続コネクタ部４１〜４４は、ケース４６の側面の１つに設けられている。つまり、第１接続コネクタ部４１〜４４は、同じ方向に向けて設けられている。また、この例では、第１接続コネクタ部４１〜４４が、横方向に一列に並ぶように配置されている。第１接続コネクタ部４１〜４４の配置は、これに限定されず、任意の配置とすることができる。
【００３９】
第１接続コネクタ部４１〜４４のそれぞれは、図１に示すように、例えば、浴室１００の天井に設けられた点検口１０４に向けて設けられる。換言すれば、通信ハブ４０は、第１接続コネクタ部４１〜４４が点検口１０４に向くように浴室１００の天井裏１０２に配置される。
【００４０】
また、通信ハブ４０は、第１接続コネクタ部４１と他の第１接続コネクタ部４２〜４４とを区別可能にしている。通信ハブ４０は、例えば、第１接続コネクタ部４１と他の第１接続コネクタ部４２〜４４とを区別可能にする標識部４７を有する。標識部４７は、例えば、ケース４６に表示される文字やイラストなどである。標識部４７は、第１接続コネクタ部４１の色が他の第１接続コネクタ部４２〜４４の色と異なっていることを含む。なお、通信ハブ４０には、第１接続コネクタ部４１〜４４のそれぞれを区別可能な標識部４７が設けられていてもよい。
【００４１】
また、第１接続コネクタ部４１の形状を他の第１接続コネクタ部４２〜４４の形状と異なるものにすることで、第１接続コネクタ部４１と他の第１接続コネクタ部４２〜４４とを区別可能にすることもできる。
【００４２】
第２接続コネクタ部４５は、第２配線６０を接続するための接続部である。換言すれば、第２接続コネクタ部４５は、リモコン３０と通信ハブ４０とを接続するための接続部である。第２接続コネクタ部４５は、例えば、ケース４６の上面及び４つの側面のうちいずれかの面に設けられる。この例では、第２接続コネクタ部４５は、ケース４６の側面の１つに設けられている。また、この例では、第２接続コネクタ部４５は、第１接続コネクタ部４１〜４４が設けられた面と同じ面に設けられている。つまり、第２接続コネクタ部４５は、第１接続コネクタ部４１〜４４と同じ方向に向けて設けられている。なお、第２接続コネクタ部４５は、第１接続コネクタ部４１〜４４が設けられた面とは異なる面に設けられてもよい。
【００４３】
また、この例では、第２接続コネクタ部４５は、横方向に一列に並ぶように配置された第１接続コネクタ部４１〜４４に並ぶように配置されている。第２接続コネクタ部４５の配置は、これに限定されず、任意の配置とすることができる。なお、通信ハブ４０には、第２接続コネクタ部４５と第１接続コネクタ部４１〜４４とを区別可能な標識部が設けられていてもよい。また、第２接続コネクタ部４５の形状を第１接続コネクタ部４１〜４４の形状と異なるものにすることで、第２接続コネクタ部４５と第１接続コネクタ部４１〜４４とを区別することもできる。
【００４４】
なお、第１接続コネクタ部及び第２接続コネクタ部の数は、それぞれ、任意の数とすることができる。第１接続コネクタ部の数は、接続する機能ユニットの数に応じて適宜選択すればよい。第２接続コネクタ部の数は、例えば、１つである。
【００４５】
図３は、実施形態に係る浴室システムを例示するブロック図である。  
図３に示すように、第１〜第４機能ユニット２１〜２４は、通信ハブ４０を介して、リモコン３０と接続されている。より具体的には、第１〜第４機能ユニット２１〜２４の第１〜第４制御部２１ａ〜２４ａは、それぞれ、第１配線５１〜５４を介して、通信ハブ４０の第１接続コネクタ部４１〜４４に接続されている。そして、リモコン３０の制御部３４は、第２配線６０を介して、通信ハブ４０の第２接続コネクタ部４５に接続されている。
【００４６】
リモコン３０の制御部３４は、リモコン３０の操作部３２及び表示部３６と接続されている。使用者がリモコン３０の操作部３２を操作すると、リモコン３０の制御部３４から、第１〜第４機能ユニット２１〜２４の第１〜第４制御部２１ａ〜２４ａに対して、信号Ｓ１が送信される。信号Ｓ１は、第１〜第４制御部２１ａ〜２４ａの少なくともいずれかに対する制御信号を含む。信号Ｓ１は、共通制御信号である。
【００４７】
信号Ｓ１は、通信ハブ４０を通じて、第１〜第４制御部２１ａ〜２４ａのそれぞれに送信される。換言すれば、例えば、第１制御部２１ａに対する制御信号（第１機能ユニット２１を動作させるための制御信号）が、第１制御部２１ａだけでなく、第２〜第４制御部２２ａ〜２４ａにも送信される。第１〜第４制御部２１ａ〜２４ａのそれぞれは、信号Ｓ１に応じて、第１〜第４機能ユニット２１〜２４の動作を制御する。
【００４８】
このとき、例えば、第１〜第４制御部２１ａ〜２４ａのそれぞれは、信号Ｓ１に自身が制御する機能ユニットを動作させるための制御信号が含まれるか否かを判断する。例えば、信号Ｓ１が第１制御部２１ａに対する制御信号である場合、第１制御部２１ａは、信号Ｓ１に第１機能ユニット２１を動作させるための制御信号が含まれると判断し、第１機能ユニット２１を動作させる。一方、第２〜第４制御部２２ａ〜２４ａは、信号Ｓ１に第２〜第４機能ユニット２２〜２４を動作させるための制御信号が含まれないと判断し、第２〜第４機能ユニット２２〜２４を動作させない。
【００４９】
また、第１〜第４制御部２１ａ〜２４ａのそれぞれは、例えば、信号Ｓ１を受け取った後、リモコン３０の制御部３４に対して、信号Ｓ２を送信する。信号Ｓ２は、例えば、第１〜第４機能ユニット２１〜２４の少なくともいずれかの動作状態についての信号を含む。
【００５０】
信号Ｓ２は、通信ハブ４０を通じて、リモコン３０の制御部３４に送信される。このとき、例えば、第１制御部２１ａからの信号Ｓ２（第１機能ユニット２１の動作状態についての信号）が、リモコン３０の制御部３４だけでなく、第２〜第４制御部２２ａ〜２４ａにも送信される。リモコン３０の制御部３４は、例えば、信号Ｓ２に応じて、リモコン３０の表示部３６に第１機能ユニット２１の動作状態を表示する。
【００５１】
このように、通信ハブ４０は、リモコン３０の制御部３４と第１〜第４機能ユニット２１〜２４の第１〜第４制御部２１ａ〜２４ａとを接続し、リモコン３０の制御部３４と第１〜第４機能ユニット２１〜２４の第１〜第４制御部２１ａ〜２４ａとの間の信号Ｓ１及びＳ２による通信を仲介する。一方で、通信ハブ４０は、例えば、リモコン３０の制御部３４及び第１〜第４制御部２１ａ〜２４ａの制御には関与しない。
【００５２】
なお、第１配線５１〜５４の少なくとも１つの長さＤ１は、例えば、第２配線６０の長さＤ２よりも短い。第１配線５１〜５４及び第２配線６０の長さが長くなると、配線が煩雑になる恐れがある。また、配線の総延長が長くなり、信号にノイズが乗りやすくなる恐れがある。従って、第１配線５１〜５４及び第２配線６０の長さは、できるだけ短くすることが望ましい。
【００５３】
図４は、実施形態に係る浴室システムを例示するブロック図である。  
図４に示すように、第１〜第４制御部２１ａ〜２４ａと通信ハブ４０とを接続する第１配線５１〜５４、及び通信ハブ４０とリモコン３０の制御部３４とを接続する第２配線６０は、３芯のケーブルである。３芯のケーブルは、例えば、２本の電源線７０ａ及び７０ｂと、１本の信号線７２と、を有する。例えば、電源線７０ａは、高電位側であり、電源線７０ｂは、低電位側（例えば、グランド）である。
【００５４】
第１〜第４機能ユニット２１〜２４の１つは、通信ハブ４０を通じて、リモコン３０に電源を供給可能である。この例では、第１機能ユニット２１が、通信ハブ４０を通じて、リモコン３０に電源を供給している。第１機能ユニット２１とリモコン３０とは、導通されている。これにより、第１機能ユニット２１からリモコン３０に、例えば、ＤＣ１２Ｖの電源が供給される。
【００５５】
一方、第２〜第４機能ユニット２２〜２４とリモコン３０とは、電気的に絶縁されている。より具体的には、第２〜第４機能ユニット２２〜２４とリモコン３０との間には、絶縁部４８ａ〜４８ｃが設けられている。絶縁部４８ａ〜４８ｃは、第２〜第４機能ユニット２２〜２４とリモコン３０とを電気的に絶縁した状態で、信号Ｓ１及び信号Ｓ２の送受信が可能に構成される。
【００５６】
絶縁部４８ａ〜４８ｃは、例えば、フォトカプラを有する。この例では、第２〜第４機能ユニット２２〜２４とリモコン３０との間で双方向に通信するために、絶縁部４８ａ〜４８ｃは、それぞれ２組のフォトカプラを有する。２組のフォトカプラのうちリモコン３０側の発光素子及び受光素子には、第１配線５１を介して、第１機能ユニット２１から電源が供給される。２組のフォトカプラのうち第２〜第４機能ユニット２２〜２４側の発光素子及び受光素子には、第１配線５２〜５４を介して、第２〜第４機能ユニット２２〜２４から電源が供給される。これらにより、第２〜第４機能ユニット２２〜２４とリモコン３０とを電気的に絶縁した状態で、信号Ｓ１及び信号Ｓ２の送受信をすることができる。
【００５７】
図５は、実施形態の変形例に係る浴室システムを例示する斜視図である。  
図５に示すように、実施形態の変形例に係る浴室システム１１では、通信ハブ４０は、天井裏１０２の中央部よりも洗面所１１０側に設けられている。
【００５８】
また、この例では、第１配線５１〜５３及び第２配線６０は、通信ハブ４０の異なる面に接続されている。第１配線５３及び第１配線５４は、通信ハブ４０の同じ面に接続されている。換言すれば、この例では、第１接続コネクタ部４１〜４３は、それぞれ通信ハブ４０のケース４６の異なる面に設けられている。
【００５９】
このように、通信ハブ４０は、第１制御部２１ａ、第２制御部２１ｂ、及び第３制御部２１ｃよりも天井裏１０２の中央側に設けられていなくてもよい。また、第１接続コネクタ部４１〜４４及び第２接続コネクタ部４５は、同じ方向に向けて設けられていなくてもよい。
【００６０】
以上、説明したように、実施形態においては、第１〜第４機能ユニット２１〜２４とリモコン３０との間に通信ハブ４０を設ける。そして、第１〜第４機能ユニット２１〜２４から延びる複数の第１配線５１〜５４を通信ハブ４０に集約させる。これにより、通信ハブ４０からリモコン３０に延びる第２配線６０の数を最小限（例えば、１本）に抑えることができる。これにより、配線接続作業が難しいリモコン３０への配線接続の手間を減らすことができる。従って、第１〜第４機能ユニット２１〜２４とリモコン３０との配線接続作業を容易に行うことができる。
【００６１】
また、実施形態においては、例えば、機能ユニットをリフォーム等で後付けで追加する際に、追加した機能ユニットを通信ハブ４０に接続するだけで、追加した機能ユニットとリモコン３０とを接続することができる。換言すれば、機能ユニットをリフォーム等で後付けで追加する際に、配線接続作業が難しいリモコン３０への配線接続を行う必要がない。
【００６２】
また、実施形態においては、第１配線５１〜５４の少なくとも１つの長さＤ１を、例えば、第２配線６０の長さＤ２よりも短くする。これにより、第１配線５１〜５４と第２配線６０との合計の長さ（配線の総延長）を短くすることができる。また、数が多い第１配線５１〜５４を短くすることで、配線同士が重なることを抑制できる。これらにより、信号にノイズが乗ることを抑制することができる。
【００６３】
また、実施形態においては、通信ハブ４０が浴室１００の天井裏１０２の中央側に設けられている。これにより、第１配線５１〜５４の長さＤ１を平均化することができる。例えば、特定の第１配線だけが極端に長くなってしまうことを抑制することができる。
【００６４】
また、実施形態においては、第１配線５１〜５４を接続するために通信ハブ４０に設けられた第１接続コネクタ部４１〜４４のそれぞれが同じ方向に向けて設けられている。これにより、通信ハブ４０と第１〜第４機能ユニット２１〜２４との接続をより容易に行うことができる。
【００６５】
また、実施形態においては、第１接続コネクタ部４１〜４４のそれぞれが点検口１０４に向けて設けられている。これにより、通信ハブ４０と第１〜第４機能ユニット２１〜２４との接続を行う際に、点検口１０４から容易に作業することができる。
【００６６】
また、実施形態においては、第１〜第４機能ユニット２１〜２４の１つ（例えば、第１機能ユニット２１）からリモコン３０に電源を供給することができる。このとき、上記のように、第１機能ユニット２１とリモコン３０とが導通されており、第２〜第４機能ユニット２２〜２４とリモコン３０とが絶縁されている場合、例えば、誤って第１機能ユニット２１を第１接続コネクタ部４１以外に接続すると、リモコン３０に電源を供給することができなくなる。これに対し、実施形態においては、通信ハブ４０に、第１接続コネクタ部４１を他の第１接続コネクタ部４２〜４４と区別可能な標識部４７を設ける。これにより、配線接続作業を行う際に、第１機能ユニット２１の接続先を誤ることを抑制できる。
【００６７】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。例えば、浴室システムなどが備える各要素の形状、寸法、材質、配置などは、例示したものに限定されるわけではなく適宜変更することができる。  
また、前述した実施形態が備える各要素は、技術的に可能な限りにおいて組み合わせることができ、これらを組み合わせたものも本発明の特徴を含む限り本発明の範囲に包含される。
【符号の説明】
【００６８】
１０、１１ 浴室システム、  ２１〜２４ 第１〜第４機能ユニット、  ２１ａ〜２４ａ 第１〜第４制御部、  ３０ リモコン、  ３２ 操作部、  ３４ 制御部、  ３６ 表示部、  ４０ 通信ハブ、  ４１〜４４ 第１接続コネクタ部、  ４５ 第２接続コネクタ部、  ４６ ケース、  ４７ 標識部、  ４８ａ〜４８ｃ 絶縁部、  ５１〜５４ 第１配線、  ６０ 第２配線、  ７０ａ、７０ｂ 電源線、  ７２ 信号線、  １００ 浴室、  １０２ 天井裏、  １０４ 点検口、  １０５ 浴室部、  １１０ 洗面所、  １１５ 洗面室部、  Ｄ１、Ｄ２ 長さ、  Ｓ１、Ｓ２ 信号
【図１】
2019169831.tif 000003
【図２】
2019169831.tif 000004
【図３】
2019169831.tif 000005
【図４】
2019169831.tif 000006
【図５】
2019169831.tif 000007